(57)【要約】【課題】本発明は使用に便利な印鑑を開示した。【解決手段】本発明は使用に便利な印鑑を公示し、円柱体を含み、前記円柱体の中には円柱形チャンバが設置され、前記円柱形チャンバの中にはスライド柱がスライド可能に設置され、前記スライド柱の中には回転ブロックが回転可能に設置され、前記回転ブロックの頂部端面にはスプラインスリーブが固定的に設置され、前記スプラインスリーブと前記スライド柱とは回転可能に設置され、前記円柱形チャンバの頂部にある前記円柱体の中には円形チャンバが設置され、本発明は曲り棒を握って押すだけで捺印作業を行われ、労力を節約し、便利であり、また、捺印の効率も上げられる。【選択図】図１
2020183100.tif 000002
【特許請求の範囲】
【請求項１】
正面視で、円柱体を含み、前記円柱体の中には円柱形チャンバが設置され、前記円柱形チャンバの中にはスライド柱がスライド可能に設置され、前記スライド柱の中には回転ブロックが回転可能に設置され、前記回転ブロックの頂部端面にはスプラインスリーブが固定的に設置され、前記スプラインスリーブと前記スライド柱とは回転可能に設置され、前記円柱形チャンバの頂部にある前記円柱体の中には円形チャンバが設置され、前記円形チャンバの中には上下に伸びた回転軸が回転可能に設置され、前記回転軸の頂端は前記円柱体の外部に伸びており、前記回転軸の末端には回転盤が固定的に設置され、前記回転軸の底部と前記スプラインスリーブとはスプラインによって連結され、前記回転ブロックの底部端面には凹溝が設置され、前記スライド柱の底部には印鑑を把持できる把持機構が設置され、前記スライド柱の頂部にある前記円柱形チャンバの中には圧力機構が設置され、前記圧力機構は前記把持機構に圧力を与えられ、前記把持機構に前記印鑑を挟ませ、捺印作業を行わせ、前記円柱体の左側端面には半円リングが固定的に設置され、前記半円リングの中には湾曲チャンバが設置され、前記半円リングと前記円柱体との間には前後対称な二組の固定板が固定的に設置され、二組の前記固定板の間にはスライド板がスライド可能に設置され、前記スライド板の上下両側の端面には曲り棒が固定的に設置され、前記曲り棒と前記円柱体の左側端壁との間には第一ばねが装着されていることを特徴とする使用に便利な印鑑。
【請求項２】
前記把持機構は第一スライド溝を含み、前記第一スライド溝は前記円柱形チャンバの左右両側の端壁に設置され、前記スライド柱の底端には円リングが固定的に設置され、前記円リングの左右両側にはいずれも第一スライドブロックが固定的に設置され、前記第一スライドブロックは前記第一スライド溝の中にスライド可能に設置され、前記回転ブロックの底端には四組の挟みブロックが同じく回転可能に設置され、前記挟みブロックと前記円リングの内壁との間は第一連結棒によってヒンジで連結されていることを特徴とする請求項１に記載の使用に便利な印鑑。
【請求項３】
前記圧力機構はスライド盤を含み、前記スライド盤は前記円柱形チャンバの中にスライド可能に設置され、前記スライド盤は前記スライド柱の頂部に位置しており、前記スプラインスリーブは前記スライド盤を貫通しており、且つ前記スライド盤と前記スプラインスリーブとはスライド可能に連結され、前記スライド盤の底端と前記スライド柱の頂端との間には二組の第二ばねが装着され、二組の前記第二ばねは左右対称に設置され、前記円柱形チャンバの頂壁の中には二組の左右対称な第二スライド溝が設置され、前記第二スライド溝の中にはいずれも第二スライドブロックがスライド可能に設置され、前記第二スライドブロックの片側にある前記円柱形チャンバの頂壁にはいずれも固定ブロックが固定的に設置され、前記固定ブロックの底端には第二連結棒がヒンジで連結され、前記第二スライドブロックの底端には第三連結棒がヒンジで連結され、前記第二連結棒と前記第三連結棒の中部とがヒンジで連結され、前記第二連結棒と前記第三連結棒とは三組設置され、最底部にある前記第二連結棒と前記第三連結棒とはいずれも前記スライド盤の頂端とヒンジで連結され、前記第二連結棒の片側にある前記円柱体の中にはいずれも第一回転輪が回転可能に設置され、前記円柱形チャンバの頂部にある前記円柱体の中には長スライドチャンバが設置され、前記長スライドチャンバは前記円形チャンバの左側に位置しており、前記長スライドチャンバの中には第三スライドブロックがスライド可能に設置され、前記第三スライドブロックの右端には二組の第一巻糸が固定的に設置され、前記第一巻糸は前記第一回転輪に巻いて前記固定ブロックを貫通した後、前記第一巻糸は前記第二スライドブロックと固定的に連結されていることを特徴とする請求項１に記載の使用に便利な印鑑。
【請求項４】
前記湾曲チャンバの中には第二回転輪が回転可能に設置され、前記第三スライドブロックの左側末端には第二巻糸が固定的に設置され、前記第二巻糸は前記第二回転輪を巻いて前記スライド板の左端と固定され、前記円形チャンバの中にはある前記回転軸の外周には転動輪が固定的に設置され、前記転動輪の外周には位置制限孔か設置され、前記円形チャンバの右側端壁の中には挿しピンがスライド可能に設置され、前記挿しピンの底端には復位機構が固定的に設置され、前記挿しピンは前記位置制限孔の中に挿入されて前記転動輪の位置を制限でき、それにより、前記回転軸は回転できなくなり、そして前記把持機構は前記印鑑を挟み、前記円柱体の右端にはゴムブロックが固定的に設置され、前記ゴムブロックは快適さを増すことができ、前記円柱形チャンバの底部には印池が設置され、前記印池の中には印肉が設置されていることを特徴とする請求項１に記載の使用に便利な印鑑。
【発明の詳細な説明】
【技術分野】
【０００１】
本発明は印鑑技術分野を取り上げ、具体的には使用に便利な印鑑である。
【背景技術】
【０００２】
今市販する印鑑の大半は刻字の木製印鑑であり、使うときには印鑑を手で持ち、そして押す。しかし、手で印鑑を持つ時に、腕に力を入らなければならなく、時に立つ必要もある。それでは、労力をかけってしまう。そのため、使用に便利な印鑑を設計する必要がある。
【先行技術文献】
【特許文献】
【０００３】
【特許文献１】中国特許出願公開第１０４９３６７９０号明細書
【発明の概要】
【発明が解決しようとする課題】
【０００４】
本発明は使用に便利な印鑑を提供し、既存技術にある上記の欠点を解消することを目的とする。
【課題を解決するための手段】
【０００５】
本発明の使用に便利な印鑑は、円柱体を含み、前記円柱体の中には円柱形チャンバが設置され、前記円柱形チャンバの中にはスライド柱がスライド可能に設置され、前記スライド柱の中には回転ブロックが回転可能に設置され、前記回転ブロックの頂部端面にはスプラインスリーブが固定的に設置され、前記スプラインスリーブと前記スライド柱とは回転可能に設置され、前記円柱形チャンバの頂部にある前記円柱体の中には円形チャンバが設置され、前記円形チャンバの中には上下に伸びた回転軸が回転可能に設置され、前記回転軸の頂端は前記円柱体の外部に伸びており、前記回転軸の末端には回転盤が固定的に設置され、前記回転軸の底部と前記スプラインスリーブとはスプラインによって連結され、前記回転ブロックの底部端面には凹溝が設置され、前記スライド柱の底部には印鑑を把持できる把持機構が設置され、前記スライド柱の頂部にある前記円柱形チャンバの中には圧力機構が設置され、前記圧力機構は前記把持機構に圧力を与えられ、前記把持機構に前記印鑑を挟ませ、捺印作業を行わせ、前記円柱体の左側端面には半円リングが固定的に設置され、前記半円リングの中には湾曲チャンバが設置され、前記半円リングと前記円柱体との間には前後対称な二組の固定板が固定的に設置され、二組の前記固定板の間にはスライド板がスライド可能に設置され、前記スライド板の上下両側の端面には曲り棒が固定的に設置され、前記曲り棒と前記円柱体の左側端壁との間には第一ばねが装着されている。
【０００６】
さらなる技術プランとして、前記把持機構は第一スライド溝を含み、前記第一スライド溝は前記円柱形チャンバの左右両側の端壁に設置され、前記スライド柱の底端には円リングが固定的に設置され、前記円リングの左右両側にはいずれも第一スライドブロックが固定的に設置され、前記第一スライドブロックは前記第一スライド溝の中にスライド可能に設置され、前記回転ブロックの底端には四組の挟みブロックが同じく回転可能に設置され、前記挟みブロックと前記円リングの内壁との間は第一連結棒によってヒンジで連結されいる。
【０００７】
さらなる技術プランとして、前記圧力機構はスライド盤を含み、前記スライド盤は前記円柱形チャンバの中にスライド可能に設置され、前記スライド盤は前記スライド柱の頂部に位置しており、前記スプラインスリーブは前記スライド盤を貫通しており、且つ前記スライド盤と前記スプラインスリーブとはスライド可能に連結され、前記スライド盤の底端と前記スライド柱の頂端との間には二組の第二ばねが装着され、二組の前記第二ばねは左右対称に設置され、前記円柱形チャンバの頂壁の中には二組の左右対称な第二スライド溝が設置され、前記第二スライド溝の中にはいずれも第二スライドブロックがスライド可能に設置され、前記第二スライドブロックの片側にある前記円柱形チャンバの頂壁にはいずれも固定ブロックが固定的に設置され、前記固定ブロックの底端には第二連結棒がヒンジで連結され、前記第二スライドブロックの底端には第三連結棒がヒンジで連結され、前記第二連結棒と前記第三連結棒の中部とがヒンジで連結され、前記第二連結棒と前記第三連結棒とは三組設置され、最底部にある前記第二連結棒と前記第三連結棒とはいずれも前記スライド盤の頂端とヒンジで連結され、前記第二連結棒の片側にある前記円柱体の中にはいずれも第一回転輪が回転可能に設置され、前記円柱形チャンバの頂部にある前記円柱体の中には長スライドチャンバが設置され、前記長スライドチャンバは前記円形チャンバの左側に位置しており、前記長スライドチャンバの中には第三スライドブロックがスライド可能に設置され、前記第三スライドブロックの右端には二組の第一巻糸が固定的に設置され、前記第一巻糸は前記第一回転輪に巻いて前記固定ブロックを貫通した後、前記第一巻糸は前記第二スライドブロックと固定的に連結されている。
【０００８】
さらなる技術プランとして、前記湾曲チャンバの中には第二回転輪が回転可能に設置され、前記第三スライドブロックの左側末端には第二巻糸が固定的に設置され、前記第二巻糸は前記第二回転輪を巻いて前記スライド板の左端と固定され、前記円形チャンバの中にはある前記回転軸の外周には転動輪が固定的に設置され、前記転動輪の外周には位置制限孔か設置され、前記円形チャンバの右側端壁の中には挿しピンがスライド可能に設置され、前記挿しピンの底端には復位機構が固定的に設置され、前記挿しピンは前記位置制限孔の中に挿入されて前記転動輪の位置を制限でき、それにより、前記回転軸は回転できなくなり、そして前記把持機構は前記印鑑を挟み、前記円柱体の右端にはゴムブロックが固定的に設置され、前記ゴムブロックは快適さを増すことができ、前記円柱形チャンバの底部には印池が設置され、前記印池の中には印肉が設置されている。
【発明の効果】
【０００９】
本発明のメリットは：手で捺印することに比べて、本発明は曲り棒を握って押すだけで捺印作業を行われ、労力を節約し、便利であり、また、捺印の効率も上げ、さらに、本発明の印鑑を交換することもでき、異なるタイプの印鑑を適用させる。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の使用に便利な印鑑の内部全体構成略図
【図２】図２は本発明における把持機構の上面図
【図３】図３は本発明における第二スライドブロックの局部拡大略図
【図４】図４は本発明における回転輪の略図
【発明を実施するための形態】
【００１２】
図１〜４を参照し、本発明の使用に便利な印鑑は、円柱体１０を含み、前記円柱体１０の中には円柱形チャンバ２７が設置され、前記円柱形チャンバ２７の中にはスライド柱６０がスライド可能に設置され、前記スライド柱６０の中には回転ブロック２９が回転可能に設置され、前記回転ブロック２９の頂部端面にはスプラインスリーブ４９が固定的に設置され、前記スプラインスリーブ４９と前記スライド柱６０とは回転可能に設置され、前記円柱形チャンバ２７の頂部にある前記円柱体１０の中には円形チャンバ６１が設置され、前記円形チャンバ６１の中には上下に伸びた回転軸１４が回転可能に設置され、前記回転軸１４の頂端は前記円柱体１０の外部に伸びており、前記回転軸１４の末端には回転盤１３が固定的に設置され、前記回転軸１４の底部と前記スプラインスリーブ４９とはスプラインによって連結され、前記回転ブロック２９の底部端面には凹溝３２が設置され、前記スライド柱６０の底部には印鑑２６を把持できる把持機構９１が設置され、前記スライド柱６０の頂部にある前記円柱形チャンバ２７の中には圧力機構９２が設置され、前記圧力機構９２は前記把持機構９１に圧力を与えられ、前記把持機構９１に前記印鑑２６を挟ませ、捺印作業を行わせ、前記円柱体１０の左側端面には半円リング１７が固定的に設置され、前記半円リング１７の中には湾曲チャンバ１５が設置され、前記半円リング１７と前記円柱体１０との間には前後対称な二組の固定板２１が固定的に設置され、二組の前記固定板２１の間にはスライド板２０がスライド可能に設置され、前記スライド板２０の上下両側の端面には曲り棒１８が固定的に設置され、前記曲り棒１８と前記円柱体１０の左側端壁との間には第一ばね１９が装着され、前記曲り棒１８を押すことで、前記圧力機構９２に前記把持機構９１を下へ圧迫させる。
【００１３】
前記把持機構９１は第一スライド溝２２を含み、前記第一スライド溝２２は前記円柱形チャンバ２７の左右両側の端壁に設置され、前記スライド柱６０の底端には円リング２８が固定的に設置され、前記円リング２８の左右両側にはいずれも第一スライドブロック２３が固定的に設置され、前記第一スライドブロック２３は前記第一スライド溝２２の中にスライド可能に設置され、前記回転ブロック２９の底端には四組の挟みブロック３１が同じく回転可能に設置され、前記挟みブロック３１と前記円リング２８の内壁との間は第一連結棒３０によってヒンジで連結され、手で前記回転盤１３を回すことで、前記回転軸１４に前記回転ブロック２９の回転を連動させ、それにより、前記挟みブロック３１は前記印鑑２６をきつく挟む。
【００１４】
前記圧力機構９２はスライド盤３３を含み、前記スライド盤３３は前記円柱形チャンバ２７の中にスライド可能に設置され、前記スライド盤３３は前記スライド柱６０の頂部に位置しており、前記スプラインスリーブ４９は前記スライド盤３３を貫通しており、且つ前記スライド盤３３と前記スプラインスリーブ４９とはスライド可能に連結され、前記スライド盤３３の底端と前記スライド柱６０の頂端との間には二組の第二ばね３４が装着され、二組の前記第二ばね３４は左右対称に設置され、前記円柱形チャンバ２７の頂壁の中には二組の左右対称な第二スライド溝５２が設置され、前記第二スライド溝５２の中にはいずれも第二スライドブロック４８がスライド可能に設置され、前記第二スライドブロック４８の片側にある前記円柱形チャンバ２７の頂壁にはいずれも固定ブロック４５が固定的に設置され、前記固定ブロック４５の底端には第二連結棒５０がヒンジで連結され、前記第二スライドブロック４８の底端には第三連結棒５１がヒンジで連結され、前記第二連結棒５０と前記第三連結棒５１の中部とがヒンジで連結され、前記第二連結棒５０と前記第三連結棒５１とは三組設置され、最底部にある前記第二連結棒５０と前記第三連結棒５１とはいずれも前記スライド盤３３の頂端とヒンジで連結され、前記第二連結棒５０の片側にある前記円柱体１０の中にはいずれも第一回転輪４６が回転可能に設置され、前記円柱形チャンバ２７の頂部にある前記円柱体１０の中には長スライドチャンバ６６が設置され、前記長スライドチャンバ６６は前記円形チャンバ６１の左側に位置しており、前記長スライドチャンバ６６の中には第三スライドブロック６５がスライド可能に設置され、前記第三スライドブロック６５の右端には二組の第一巻糸６７が固定的に設置され、前記第一巻糸６７は前記第一回転輪４６に巻いて前記固定ブロック４５を貫通した後、前記第一巻糸６７は前記第二スライドブロック４８と固定的に連結され、前記第三スライドブロック６５の滑りによって、前記第一巻糸６７に前記第二スライドブロック４８の滑りを引き動かせ、それにより、前記第二連結棒５０と前記第三連結棒５１とに前記スライド盤３３を圧迫させ、前記スライド柱６０を下へ滑らせ、それにより印鑑２６に捺印作業を行わせる。
【００１５】
前記湾曲チャンバ１５の中には第二回転輪１６が回転可能に設置され、前記第三スライドブロック６５の左側末端には第二巻糸７０が固定的に設置され、前記第二巻糸７０は前記第二回転輪１６を巻いて前記スライド板２０の左端と固定され、前記円形チャンバ６１の中にはある前記回転軸１４の外周には転動輪４０が固定的に設置され、前記転動輪４０の外周には位置制限孔４１か設置され、前記円形チャンバ６１の右側端壁の中には挿しピン４２がスライド可能に設置され、前記挿しピン４２の底端には復位機構４４が固定的に設置され、前記挿しピン４２は前記位置制限孔４１の中に挿入されて前記転動輪４０の位置を制限でき、それにより、前記回転軸１４は回転できなくなり、そして前記把持機構９１は前記印鑑２６を挟み、前記円柱体１０の右端にはゴムブロック１１が固定的に設置され、前記ゴムブロック１１は快適さを増すことができ、前記円柱形チャンバ２７の底部には印池２４が設置され、前記印池２４の中には印肉２５が設置されている。  
【００１６】
使用時に、まず円柱体１０を印池２４から離脱させ、挿しピン４２を引き動かし、挿しピン４２を位置制限孔４１から離脱させ、手で回転盤１３を回すことで、前記回転軸１４を回転させ、それにより回転ブロック２９は回転し、さらに挟みブロック３１は印鑑２６を挟み、挿しピン４２を放し、挿しピン４２を位置制限孔４１の中に挿し込み、それにより回転軸１４の位置は制限され、手で曲り棒１８を押すことで、第二巻糸７０は第三スライドブロック６５を引き動かし、第三スライドブロック６５を左に移動させ、そして第二スライドブロック４８は固定ブロック４５に接近し、それにより、第二連結棒５０と第三連結棒５１はスライド盤３３を圧迫し、スライド盤３３にスライド柱６０を圧迫させ、スライド柱６０を下へスライドさせ、そして印鑑は下へ移動し、捺印作業を行い、曲り棒１８を放すことで、印鑑２６を上に移動させることができる。
【００１７】
本発明のメリットは：手で捺印することに比べて、本発明は曲り棒を握って押すだけで捺印作業を行われ、労力を節約し、便利であり、また、捺印の効率も上げ、さらに、本発明の印鑑を交換することもでき、異なるタイプの印鑑を適用させる。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020183100.tif 000003
【図２】
2020183100.tif 000004
【図３】
2020183100.tif 000005
【図４】
2020183100.tif 000006
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
正面視で、円柱体を含み、前記円柱体の中には円柱形チャンバが設置され、前記円柱形チャンバの中にはスライド柱がスライド可能に設置され、前記スライド柱の中には回転ブロックが回転可能に設置され、前記回転ブロックの頂部端面にはスプラインスリーブが固定的に設置され、前記スプラインスリーブと前記スライド柱とは回転可能に設置され、前記円柱形チャンバの頂部にある前記円柱体の中には円形チャンバが設置され、前記円形チャンバの中には上下に伸びた回転軸が回転可能に設置され、前記回転軸の頂端は前記円柱体の外部に伸びており、前記回転軸の末端には回転盤が固定的に設置され、前記回転軸の底部と前記スプラインスリーブとはスプラインによって連結され、前記回転ブロックの底部端面には凹溝が設置され、前記スライド柱の底部には印鑑を把持できる把持機構が設置され、前記スライド柱の頂部にある前記円柱形チャンバの中には圧力機構が設置され、前記圧力機構は前記把持機構に圧力を与えられ、前記把持機構に前記印鑑を挟ませ、捺印作業を行わせ、前記円柱体の左側端面には半円リングが固定的に設置され、前記半円リングの中には湾曲チャンバが設置され、前記半円リングと前記円柱体との間には前後対称な二組の固定板が固定的に設置され、二組の前記固定板の間にはスライド板がスライド可能に設置され、前記スライド板の上下両側の端面には曲り棒が固定的に設置され、前記曲り棒と前記円柱体の左側端壁との間には第一ばねが装着され、前記曲り棒を押すことで、前記圧力機構に前記把持機構を下へ圧迫させることができ、
前記把持機構は第一スライド溝を含み、前記第一スライド溝は前記円柱形チャンバの左右両側の端壁に設置され、前記スライド柱の底端には円リングが固定的に設置され、前記円リングの左右両側にはいずれも第一スライドブロックが固定的に設置され、前記第一スライドブロックは前記第一スライド溝の中にスライド可能に設置され、前記回転ブロックの底端には四組の挟みブロックが同じく回転可能に設置され、前記挟みブロックと前記円リングの内壁との間は第一連結棒によってヒンジで連結され、
前記圧力機構はスライド盤を含み、前記スライド盤は前記円柱形チャンバの中にスライド可能に設置され、前記スライド盤は前記スライド柱の頂部に位置しており、前記スプラインスリーブは前記スライド盤を貫通しており、且つ前記スライド盤と前記スプラインスリーブとはスライド可能に連結され、前記スライド盤の底端と前記スライド柱の頂端との間には二組の第二ばねが装着され、二組の前記第二ばねは左右対称に設置され、前記円柱形チャンバの頂壁の中には二組の左右対称な第二スライド溝が設置され、前記第二スライド溝の中にはいずれも第二スライドブロックがスライド可能に設置され、前記第二スライドブロックの片側にある前記円柱形チャンバの頂壁にはいずれも固定ブロックが固定的に設置され、前記固定ブロックの底端には第二連結棒がヒンジで連結され、前記第二スライドブロックの底端には第三連結棒がヒンジで連結され、前記第二連結棒と前記第三連結棒の中部とがヒンジで連結され、前記第二連結棒と前記第三連結棒とは三組設置され、最底部にある前記第二連結棒と前記第三連結棒とはいずれも前記スライド盤の頂端とヒンジで連結され、前記第二連結棒の片側にある前記円柱体の中にはいずれも第一回転輪が回転可能に設置され、前記円柱形チャンバの頂部にある前記円柱体の中には長スライドチャンバが設置され、前記長スライドチャンバは前記円形チャンバの左側に位置しており、前記長スライドチャンバの中には第三スライドブロックがスライド可能に設置され、前記第三スライドブロックの右端には二組の第一巻糸が固定的に設置され、前記第一巻糸は前記第一回転輪に巻いて前記固定ブロックを貫通した後、前記第一巻糸は前記第二スライドブロックと固定的に連結され、
前記湾曲チャンバの中には第二回転輪が回転可能に設置され、前記第三スライドブロックの左側末端には第二巻糸が固定的に設置され、前記第二巻糸は前記第二回転輪を巻いて前記スライド板の左端と固定され、前記円形チャンバの中にはある前記回転軸の外周には転動輪が固定的に設置され、前記転動輪の外周には位置制限孔か設置され、前記円形チャンバの右側端壁の中には挿しピンがスライド可能に設置され、前記挿しピンの底端には復位機構が固定的に設置され、前記挿しピンは前記位置制限孔の中に挿入されて前記転動輪の位置を制限でき、それにより、前記回転軸は回転できなくなり、そして前記把持機構は前記印鑑を挟み、前記円柱体の右端にはゴムブロックが固定的に設置され、前記ゴムブロックは快適さを増すことができ、前記円柱形チャンバの底部には印池が設置され、前記印池の中には印肉が設置されていることを特徴とする使用に便利な印鑑。